(57)【特許請求の範囲】
【請求項１】
容器内から害虫誘引成分を発してその容器内に飛翔性害虫を誘引する害虫捕獲器において、前記容器の頂部に該飛翔性害虫の侵入口が設けられ、更に前記容器の側部に通風口が設けられ、前記容器内に表面を粘着面とした板状の捕獲部が設置され、かつ前記容器内に害虫誘引成分を含む溶液を含浸させた小球状の吸水性ポリマーを配置したことを特徴とする飛翔性害虫捕獲器。
【請求項２】
前記侵入口と前記通風口との全開口面積（ｍｍ2）を前記容器の容積（ｃｍ3）で除した値が１．２〜１０（ｍｍ2／ｃｍ3）であることを特徴とする請求項１に記載の飛翔性害虫捕獲器。
【請求項３】
前記容器が上ドーム部と有底円筒状の下部とからなり、侵入口が前記上ドーム部の頂部の曲面上に設けられ、前記通風口が該上ドーム部の側部に設けられたことを特徴とする請求項１に記載の飛翔性害虫捕獲器。
【発明の詳細な説明】
【０００１】
【発明の属する技術分野】
本発明は、飛翔性害虫を効率よく捕獲できる飛翔性害虫捕獲器に関する。
【０００２】
【従来の技術】
従来、殺虫成分を周囲雰囲気中に拡散して害虫を駆除する装置が使用されている。このような装置には、電力を使用するものや、発熱物質を使用するものがある。
【０００３】
他方、害虫捕獲器として、内部に害虫誘引液を注入された容器を備えたものが用いられている。このような害虫捕獲器は使用時に、害虫誘引成分を周囲雰囲気中に放出する。すると、害虫誘引成分によって誘引された害虫が、前記開口を介して前記容器内に入るとともに前記害虫誘引液にひたって溺死する。
【０００４】
【発明が解決しようとする課題】
従来の害虫捕獲器に対しては、害虫捕獲能力の更なる向上が広く望まれていたが、殺虫成分を使用しているわけではないので成分変更等による害虫捕獲能力の改善は行えず、なかなか満足な成果が得られなかった。飛翔性害虫を容器付近にまで誘引することはできても、その飛翔性害虫を容器内に侵入させられないことが多かった。
【０００５】
本発明は、上記事情に鑑みてなされたものであって、その目的は、高い害虫捕獲能力を有する飛翔性害虫捕獲器を提供することにある。
【０００６】
【課題を解決するための手段】
本発明者らは、鋭意検討の結果、従来の害虫捕獲器では容器内における誘引液揮発成分濃度が高くなっていることを見出した。すなわち、誘引液揮発成分が容器外にスムーズに揮散されていなかったのである。
そこで本発明は、容器内から害虫誘引成分を発してその容器内に害虫を誘引する害虫捕獲器において、前記容器の頂部に該飛翔性害虫の侵入口が設けられ、更に前記容器の側部に通風口が設けられ、前記容器内に表面を粘着面とした板状の捕獲部が設置され、かつ前記容器内に害虫誘引成分を含む溶液を含浸させた小球状の吸水性ポリマーを配置したことを特徴としている。
【０００７】
ここで、侵入口は、前記容器の頂部に設けられ、他方通風口は、前記容器の側部に設けられているために、前者は後者に対し高低差を有することになる。
害虫誘引成分を発するために、容器内に、アセトイン、黒酢、パイナップルエッセンス等の溶液を含浸させた小球状の吸水性ポリマーを配置する。
以上のような飛翔性害虫捕獲器によれば、通風口と侵入口との間に気流が生じて、その気流にのせて容器内の害虫誘引成分を容器外にスムーズに揮散することができる。したがって、飛翔性害虫を効果的に誘引でき、害虫捕獲能力が高い。
【０００８】
本発明は、前記構成において、侵入口が容器の頂部付近に設けられ、通風口が容器の底部付近に設けられることが好ましい。こうすることで、通風口と侵入口との間で循環が生じやすく、その循環にのせて害虫誘引成分を容器外にスムーズに揮散できる。循環は、上昇気流に限らない。例えば、香気成分は空気より重いため、通風口から容器外にぬける。ぬけた香気成分は自然拡散する。そして、香気成分がぬけた分だけ新しい空気が入る。こうして、容器内に濃い香気成分が溜まることがなくなり、容器内の濃度をスムーズに調節できる。
また本発明は、前記構成において、侵入口と通風口との全開口面積（ｍｍ2）を容器の容積（ｃｍ3）で除した値が１．２〜１０ｍｍ2／ｃｍ3（１．２×１０-2〜０．１ｍｍ2／ｍｍ3）であることが好ましい。このように、侵入口及び通風口の開口面積を容器の大きさに適当に対応させることで、害虫捕獲能力をより向上できる。
【０００９】
また本発明者らは、鋭意検討の結果、従来の害虫捕獲器では開口（侵入口）付近における、容器の面と面とが交差する稜部や容器から突出した突部の先端等（以下「エッジ」という）に、ショウジョウバエ等の飛翔性害虫が集中的に止まる傾向があることを見出した。
本発明は、容器内から害虫誘引成分を発してその容器内に害虫を誘引する害虫捕獲器において、前記容器が下部と上ドーム部とを有し、前記上ドーム部の曲面上に害虫の侵入口が設けられたことを特徴としている。
【００１０】
以上のような害虫捕獲器によれば、エッジを有しない上ドーム部の曲面上に侵入口が設けられているので、侵入口付近に誘引された害虫がエッジに止まることがない。そして、害虫は侵入口を介して容器内に誘引され、捕獲される。
【００１１】
本発明は、前記構成において、侵入口が上ドーム部の頂部付近に設けられ、上ドーム部の下部との接続部付近に通風口が設けられることが好ましい。こうすることで、通風口と侵入口との間で循環が生じやすくなり、害虫誘引成分を容器外にスムーズに揮散できる。
また本発明は、前記構成において、容器内に粘着性を有する板状の捕獲部が間隔をあけて複数設置されることが好ましい。こうすることで、容器内の飛翔スペースを捕獲部によって狭くでき、容器内に誘引した飛翔性害虫を捕獲部によって確実に捕獲できる。
また本発明は、前記構成において、容器内に害虫誘引剤を含む溶液を含浸させた小球状の吸水性ポリマーを配置する。こうすれば、害虫誘引成分を含む液体が吸水性ポリマーに保持されるので、容器から液体が流出する心配がなくなり、害虫捕獲器の使い勝手が向上する。
【００１２】
【発明の実施の形態】
以下、図面に基づいて本発明の実施形態を説明する。図１に、参考例であるショウジョウバエ等の小型の飛翔性害虫用の害虫捕獲器の側面図を示す。害虫捕獲器１０は、中空かつ略三角柱状の本体（下部）１１を備えている。本体１１は、平面視において三角形板状の底壁１１ｂと、底壁１１ｂの周縁部に立設された周壁１１ａとを備えている。ここでは、周壁１１ａの上端に天壁１１ｃが一体成形されている。天壁１１ｃの中央部には連通開口（図示せず）が設けられており、その連通開口を塞ぐように中空半球状の上ドーム部１２が設けられている。すなわち、本参考例における容器１３は、本体１１と上ドーム部１２とを備えている。
【００１３】
上ドーム部１２には、周方向に等間隔を隔てた箇所に、上ドーム部１２と天壁１１ｃとの接続部付近から上ドーム部１２の頂部付近へと延びるスリット状の侵入口１２ａが設けられている。すなわち、侵入口１２ａは上ドーム部１２の曲面上に設けられている。
【００１４】
本体１１の底壁１１ｂの中央部にも連通開口（図示せず）が設けられており、その開口の縁部から本体１１の内部空間側に（上方に）向かって円筒状の筒部１１ｄが設けられている。筒部１１ｄの上端開口が通風口１１ｅになっている。害虫捕獲器１０の使用時に、害虫誘引成分を含む溶液（誘引液）Ｌが本体１１内に注入された際、筒部１１ｄの通風口１１ｅは誘引液Ｌの液面から突出する。通風口１１ｅは、前記侵入口１２ａより下方に位置している。すなわち、通風口１１ｅは侵入口１２ａに対して高低差を有している。
なお、通風口１１ｅと侵入口１２ａとの全開口面積（ｍｍ2）を容器１３の容積（ｃｍ3）で除した値が１．２×１０（ｍｍ2／ｃｍ3）となるように、通風口１１ｅ及び侵入口１２ａの大きさが容器１３の大きさに対応されている。
底壁１１ｂには、害虫捕獲器１０の設置面Ｇから底壁１１ｂを離すための、脚部１３が設けられている。
【００１５】
容器１３は、害虫捕獲状況を確認できるように、透明ないし半透明な樹脂材料等から形成できる。底壁１１ｂのみを透明ないし半透明材料から形成して、害虫捕獲器１０を持ち上げて下から見ることで害虫捕獲状況を確認できるようにすることもできる。
【００１６】
以上のような害虫捕獲器１０においては、通風口１１ｅからその上方に設けられた侵入口１２ａへと向かう上昇気流が生じる。特に、通風口１１ｅが底壁１１ｂに設けられているので、上昇気流が生じやすい。この上昇気流にのせて、容器１３内の誘引液揮発成分が侵入口１２ａから容器１３外にスムーズに揮散される。すると、害虫捕獲器１０近傍へとショウジョウバエ等の飛翔性小型害虫が誘引されてくる。侵入口１２ａがエッジを有しない上ドーム部１２に設けられているので、それら害虫は侵入口１２ａを介して容器１３内へ誘引され、捕獲される。すなわち、誘引液Ｌにひたって溺死する。害虫は、通風口１１ｅからも容器１３内へ誘引される。
また、通風口１１ｅと侵入口１２ａとの全開口面積を容器１３の大きさに適当に対応させたことで、長期にわたって誘引液Ｌから誘引成分を揮散することができる。
【００１７】
図２に、本発明の実施形態である飛翔性害虫捕獲器の斜視図を示す。飛翔性害虫捕獲器２０は、有底円筒状の下部２１と、中空半球状の上ドーム部２２とを組み合わせてなる容器２３を備えている。上ドーム部２２と下部２１との接続部付近における、上ドーム部２２の径と下部２１の径とがほぼ同等になっている。上ドーム部２２の容積と下部２１の容積とがほぼ同等になっている。容器２３は全体的に見ればほぼドーム状である。
【００１８】
上ドーム部２２には、その頂部付近に円形状の害虫の侵入口２２ａが設けられ、下部２１との接続部付近にその接続部付近から頂部へと向かって延びるスリット状の通風口２２ｂが設けられている。なお後述するが、この通風口２２ｂは害虫の侵入口としても機能する。
容器２３内には、複数の（ここでは３枚の）円板状の捕獲部２５ａ，２５ｂ，２５ｃが、上下方向に間隔を隔てて設置されている。捕獲部２５ａ〜２５ｃは、下側のものほど大きくされている。すなわち、上側の捕獲部２５ａより中間の捕獲部２５ｂが大きくされ、更に中間の捕獲部２５ｂより下側の捕獲部２５ｃが大きくされている。それら捕獲部２５ａ〜２５ｃの中心を、上下方向に延びる支軸２６が貫通している。捕獲部２５ａ〜２５ｃは、支軸２６によって支持されている。
【００１９】
図３に、害虫捕獲器２０の上面図を示す。図３に示すように、ここでは侵入口２２ａが、上ドーム部２２の頂部のまわりに１２０°ずつ間隔を隔てて３個配置されている。また、通風口２２ｂは１２０°ずつ間隔を隔てて３個、侵入口２２ａの間に配置されている。
【００２０】
図４は図３におけるIV−IV断面図である。侵入口２２ａの中心点と上ドーム部２２の頂部との上下方向の間隔Ｈ１は、例えば１ｃｍとすることができる。
捕獲部２５ａ〜２５ｃは、容器２３内の空間を区画して、容器２３内における害虫の飛翔スペースを狭くしている。捕獲部２５ａ〜２５ｃは、それらの下面を粘着面とされている。なお、捕獲部の上面を粘着面にしてもよく、上下面を粘着面にしてもよい。
下部２１内には、害虫誘引成分揮散源として、害虫誘引剤を含む溶液を含浸させた小球状の吸水性ポリマー２８が適宜量設置されている。各吸水性ポリマー２８はゼリー状（ゲル状）になっている。
【００２１】
以上のような害虫捕獲器２０においては、通風口２２ｂが上ドーム部２２の側部に設けられているので、下部２１に脚部を設ける必要がなく、どこにでも安定して害虫捕獲器２０を設置できる。そして、通風口２２ｂからその上方に設けられた侵入口２２ａへと向かう上昇気流にのせて、容器２１内の誘引液揮発成分が侵入口２２ａから容器２３外にスムーズに揮散される。すると、害虫捕獲器２０近傍へとショウジョウバエ等の飛翔性小型害虫が誘引されてくる。侵入口２２ａ及び通風口２２ｂが、エッジを有しない上ドーム部２２に設けられているので、それら害虫は侵入口２２ａ及び通風口２２ｂを介して容器２３内へ誘引され、捕獲される。すなわち、捕獲部２５ａ〜２５ｃに粘着捕獲される。
【００２２】
また、害虫捕獲器２０においては、小球状の吸水性ポリマー２８から誘引成分を揮散させるようにしたことで、誤って害虫捕獲器２０を転倒させた場合などにも液が流出する心配がなく、使い勝手がよい。なお、小球状の吸水性ポリマー２８は、空気と接触する表面積が広いため、誘引成分を揮散しやすい。
【００２３】
図５は、別の参考例である害虫捕獲器を示す斜視図である。この害虫捕獲器３０は、前述した参考例と実施形態とを組み合わせたような構成になっている。害虫捕獲器３０は、有底円筒状の下部３１と、中空半球状の上ドーム部３２とを組み合わせてなる容器３３を備えている。容器３３は全体的に見ればほぼドーム状である。上ドーム部３２には、その頂部のまわりに１２０°ずつ間隔を隔てて３個の侵入口３２ａが設けられている。
【００２４】
下部３１の底壁３１ｂの中央部には連通開口（図示せず）が設けられており、その開口の縁部から下部３１の内部空間側に（上方に）向かって円筒状の筒部３１ｄが設けられている。筒部３１ｄの上端開口が通風口３１ｅになっている。害虫捕獲器３０の使用時に、害虫誘引成分を含む溶液（誘引液）が本体１１内に注入された際、筒部３１ｄの通風口３１ｅは誘引液の液面から突出する。なお、通風口３１ｅと前記侵入口３２ａとの全開口面積（ｍｍ2）を容器３３の容積（ｍｍ3）で除した値が１．２×１０-2〜０．１（ｍｍ2／ｍｍ3）となるように、通風口３１ｅ及び侵入口３２ａの大きさが容器３３の大きさに対応されている。
底壁３１ｂには、害虫捕獲器３０の設置面から底壁３１ｂを離すための、脚部３３が設けられている。
【００２５】
なお、本発明は前述した実施形態に限定されるものではなく、適宜な変形、改良等が可能である。
例えば、スリット状の通風口として、上下方向に延びるものの他に、周方向（左右方向）に延びるものを採用してもよい。
例えば、侵入口や通風口に網を設けてもよい。
また、害虫誘引能力を有する色に容器を着色してもよく、例えば黄色系、赤色系（特に２．５Ｒ〜２．３ＹＲ）に着色できる。また、害虫誘引能力向上のために、容器に発光体を取り付けることも考えられる。
【００２６】
【発明の効果】
以上説明したように、本発明の飛翔性害虫捕獲器によれば、容器内の誘引成分をスムーズに容器外に揮散できるとともに、容器付近にまで誘引した飛翔性害虫を効果的に容器内に取りこむことができる。
【図面の簡単な説明】
【図１】  参考例である害虫捕獲器の側面図である。
【図２】  本発明の実施形態である害虫捕獲器の斜視図である。
【図３】  実施形態の平面図である。
【図４】  図３におけるIV−IV断面図である。
【図５】  別の参考例である害虫捕獲器の斜視図である。
【符号の説明】
１０，２０，３０       害虫捕獲器
１１                   本体
１１ｅ，３１ｅ         通風口
１２，２２，３２       上ドーム部
１２ａ，２２ａ，３２ａ 侵入口
１３，３３             脚部
２１，３１             下部
２２ｂ                 通風口
【図１】
0004756735.tif 000002
【図２】
0004756735.tif 000003
【図３】
0004756735.tif 000004
【図４】
0004756735.tif 000005
【図５】
0004756735.tif 000006